(57)【要約】      （修正有）【課題】ＬＥＤに装着するだけで美しく発光して、主に前面に拡散する光を配光する簡単な構造からなる高い強度を有する光透過素材によるＬＥＤに装着して発光具を構成するＬＥＤ用光拡散ヘッド（キャップ）を提供する。【解決手段】光が拡散して全体が発光し、さらに、主に前面から拡散する光を配光する高い強度を有する光透過素材による簡単な構造のＬＥＤに装着して発光具を構成する。【選択図】図１
2012190770.tif 000002
【特許請求の範囲】
【請求項１】
高強度の光透過素材でつくられ、内部の円筒空間に光透過素材による２つの半球乃至円錐あるいは角錐形状の凸面を有する部材を組み合わせて挿入し固定して、また、外形には円錐および円柱を組み合わせて、前面の凸面の頭頂部に半球状の構造を有することを特徴とするＬＥＤに装着して発光具を構成するＬＥＤ用光拡散ヘッド。
【請求項２】
前記高強度の光透過素材として透明な樹脂を用いることを特徴とする請求項１に記載のＬＥＤに装着して発光具を構成するＬＥＤ用光拡散ヘッド。
【請求項３】
請求項１および２に記載の高強度の光透過素材でつくられ、請求項１および２に記載の内部構造を有し、外形は円錐および円柱を組み合わせた構造と前面の平坦面の中心部に半球乃至円錐あるいは角錐形状の凹面を有することを特徴とするＬＥＤに装着して発光具を構成するＬＥＤ用光拡散ヘッド。
【発明の詳細な説明】
【技術分野】
【０００１】  本発明は、からだに良いといわれる赤、緑や青色等のＬＥＤ光をツボ押し具等の光グッズや間接照明具として利用する為に、ＬＥＤに装着するだけで美しく発光して、主に前面に拡散する光を配光する光を透過して高い強度を有する素材による簡単な構造からなるＬＥＤに装着して発光具を構成するＬＥＤ用光拡散ヘッド（キャップ）に関する。
【背景技術】
【０００２】  ＬＥＤは電力消費が少なく信頼性が高く高寿命で、熱を発することも少ない。しかし、ＬＥＤは強い指向性を有して、市販の高輝度ＬＥＤは前面に鋭角に照射される光と広角に斜め前方向に照射される２つの指向性を持つものが多い。これらの指向性は、正面から直視すると照射光の輝度が高すぎて目を強く刺激され、また、後側面からは視認性に乏しいという欠点がある。これに対して、従来から発光具として視認性を高める技術が提供されている（例えば、特殊な素材で発光体を覆って光を拡散させるなど  特許文献１）。
【先行技術文献】
【特許文献】
【０００３】
【特許文献１】  特開２００５−８５６５０号  公報
【発明の概要】
【発明が解決しようとする課題】
【０００４】  しかし、至近からの照射や発光具そのものに触れる、あるいは、からだに押し当てるような光グッズに求められる発光具の課題を簡単な構造で解決するものは少ない。ＬＥＤをツボ押しグッズや至近から照らす間接照明等に利用する場合には、ＬＥＤの光を拡散して指向性を緩和しながら正面方向に配光する必要があり、また、ツボ押しグッズには強い強度を有し単純な構造が求められ、さらに、光グッズとして視認性を向上し全体を発光させることが求められる。【０００５】  本発明は、このような課題を解決しようとするものであり、ＬＥＤに装着するだけで美しく発光して、主に前面に拡散する光を配光する簡単な構造からなる高い強度を有する光透過素材によるＬＥＤに装着して発光具を構成するＬＥＤ用光拡散ヘッド（キャップ）を提供することを目的とするものである。
【課題を解決するための手段】
【０００６】  請求項１に記載の発明は、ＬＥＤに装着して発光するヘッドとして高い強度を有する光透過素材でつくられることを特徴としている。【０００７】  なお、この光を透過する高い強度を有する素材に他の光透過素材粒子等が不規則に分布する素材を使用する場合は、本請求項１および２、３の請求項に記載する特徴である照射光の拡散効果がさらに著しく向上する。【０００８】  このＬＥＤに装着して発光する光を透過するヘッドは、光を透過して屈折、反射させて拡散するために内部に円筒空間を有し、その円筒空間に光透過素材による２つの半球乃至円錐あるいは角錐形状の凸面を有する部材を組み合わせて挿入し固定する。また、外形は、円錐および円柱を組み合わせて、その前面の凸面の頭頂部が半球状の構造を有することを特徴とする。【０００９】  この内外部の構造は、市販のＬＥＤの指向性の強い光のうち、正面に鋭く鋭角に照射される光が透過、屈折、反射して主にヘッドの前面から拡散する光の配光を実現する。また、側前面に広角に照射される光はこのヘッドの外形により内部に反射して内部構造とあわせて拡散してヘッド全体が発光する。【００１０】  さらに、この外形の前面が皮膚などに触れると、その接触面で外部に透過する光の屈折が緩和されて、より分散した配光を実現する。これは、からだに圧着させ、また、皮膚上を滑らせて使用するツボ押し棒等の光グッズに適する構造を備えるものである。【００１１】  請求項２に記載の発明は、請求項１に記載のＬＥＤに装着して発光具を構成するＬＥＤ用光拡散ヘッドにおいて、前記高強度の光透過素材として透明な樹脂を用いることを特徴としている。【００１２】  また、請求項３に記載の発明は、請求項１または請求項２の何れかに記載の高強度の光透過素材により請求項１または請求項２に記載の内部構造を有して、外形は、円錐および円柱を組み合わせた構造で、その前面の平坦面の中心部に半球乃至円錐あるいは角錐形状の凹面を有することを特徴とする。【００１３】この内外部構造により、市販ＬＥＤの指向性の強い光のうち、正面に鋭く鋭角に照射される光が透過、屈折、反射して、主にヘッドの前面に拡散する光の配光を実現し、さらに、この外形前面の構造により、外部にバランス良く拡散する透過光を照射する配光を実現する。また、側前面に広角に照射される光が外形により内部に反射して内部構造とあわせてヘッド全体が発光する。これらの特長は、至近な距離から物や人を照らす光グッズや間接照明具として使用する発光具に適するものである。
【発明の効果】
【００１４】  このように本発明は、装着するだけで市販のＬＥＤの指向性を緩和して視認性を向上させるので、ＬＥＤ発光体に装着して発光具として美しく発光し、また、至近の照射対象に対して拡散する目に優しい光の照射や、発光具そのものに触れるあるいは人のからだに押し当てて使用する光グッズや間接照明具を実現する簡単な構造で高強度の光を透過するＬＥＤに装着して発光具を構成する光拡散ヘッドを提供する。
【図面の簡単な説明】
【００１５】
【図１】請求項２の発明の実施例を示す断面図  （実施例１）
【図２】請求項２の素材による請求項３の発明の実施例を示す断面図  （実施例２）
【図３】市販高輝度ＬＥＤの配光図
【発明を実施するための形態】
【００１６】  本発明は、市販のＬＥＤに装着して美しく発光する発光具を構成する簡単な構造で高い強度を有する光透過素材によるＬＥＤに装着して発光具を構成するＬＥＤ用光拡散ヘッドである。
【実施例１】
【００１７】  図１は、本発明の請求項２における本体１に市販のＬＥＤ３を装着した実施例を示す断面図である。なお、本実施例１に使用する本体１の内部の円筒空間４に固定する組み合わせ部材５には円錐形状の凸面を有する部材を使用する。ＬＥＤ光の配光の一部を矢印で表記している。【００１８】  市販のＬＥＤ３の指向性の強い光のうち、正面に鋭く鋭角に照射される光が透過、屈折、反射して主に本体１の前面から拡散する光の配光を実現し、また、側前面に広角に照射される光が本体１の内部に反射し拡散して本体１が発光する。
【実施例２】
【００１９】  図２は、本発明の請求項２の素材による請求項３の発明に市販のＬＥＤ３を装着した実施例を示す断面図である。なお、本実施例２に使用する本体２は外形前面の平坦面の中心部に円錐形状の凹面を有するものである。ＬＥＤ光の配光の一部を矢印で表記している。【００２０】  市販のＬＥＤの指向性の強い光のうち、正面に鋭く鋭角に照射される光が透過、屈折、反射して、本体２の前面からバランス良く拡散する光の配光を実現する。また、側前面に広角に照射される光が本体２の内部に反射し拡散して本体２が発光する。
【図３】
【００２１】  図３で市販の高輝度ＬＥＤの一般的な配光を示す。
【産業上の利用可能性】
【００２２】  請求項１および２に記載する発明は、本体１から外部に透過する光が、人の皮膚などとの接触面で屈折が緩和されて分散した照射を実現し、人のからだに圧着させまた触れて皮膚上を滑らせて使用するツボ押し棒等の光グッズに適する。【００２３】  さらに、請求項１および２に記載する発明は本体１が美しく発光して拡散光を配光するので、ＬＥＤ発光体に装着して携帯型の発光具として、コンサートライトや間接照明具として用いても好適である。【００２４】  請求項３に記載の発明は、ＬＥＤ発光体に装着して至近な距離から物や人を照らす光グッズや間接照明具として使用する発光具に適する。
【符号の説明】
【００２５】１  請求項１および２の発明における本体
２  請求項３の発明における本体
３  ＬＥＤ
４  本体１および２の内部の円筒空間
５  本体１および２の内部に固定された組み合わせ部材
【図１】
2012190770.tif 000003
【図２】
2012190770.tif 000004
【図３】
2012190770.tif 000005